(57)【要約】【課題】  抜止めワッシャとスラストワッシャとを個別に製作したり個別に軸受ハウジングに組み付けたりする必要をなくして組立工数や部品点数を削減する。【解決手段】  樹脂成形体でなる円板状部材９を軸受ハウジング１の段差部１１に位置決めして保持させた後、回転軸４をラジアル軸受２に挿入する過程で、回転軸４により円板状部材９の被打抜き領域９５を打ち抜いて打抜き片９Ａを形成し、その打抜き片９Ａをスラストワッシャ５として用いると共に、回転軸４により打抜き片９Ａを打ち抜くことによって残存した環状片９Ｂを抜止めワッシャ３として用いる。【選択図】        図１
2007185068.tif 000002
【特許請求の範囲】
【請求項１】
軸受ハウジングの段差部に位置決めして保持された抜止めワッシャが上記軸受ハウジングに保持されたラジアル軸受により支持されている回転軸の環状溝部に嵌合され、かつ、その回転軸の下端摺動面が上記軸受ハウジングの底面に位置決めして配備された板状のスラストワッシャによって支持され、上記回転軸に記録メディアとしてのディスクが着脱されるターンテーブルとロータとが装備されているモータ回転軸の取付け構造において、
上記回転軸は上記ラジアル軸受に挿入することによってそのラジアル軸受により支持されていると共に、上記スラストワッシャとして、軸受ハウジングの上記段差部に位置決めした樹脂成形体でなる円板状部材の中央部を、上記ラジアル軸受に挿入した上記回転軸を用いて打ち抜くことにより形成された打抜き片が用いられ、上記抜止めワッシャとして、上記円板状部材から上記打抜き片を打ち抜くことにより残存した環状片が用いられ、
上記抜止めワッシャの間隔を隔てた周方向複数箇所に具備された内向き突片部が上記軸受ハウジングの段差部の内側へ突き出して上記回転軸の環状溝部に嵌合されていると共に、上記スラストワッシャの間隔を隔てた周方向複数箇所に具備された外向き突片部が上記軸受ハウジングの内周面に対峙してそのスラストワッシャが位置決めされ、
上記スラストワッシャの外向き突片部が、上記抜止めワッシャの相隣接する内向き突片部の相互間に形成されている凹入部に嵌まり込む大きさを有していることを特徴とするモータ回転軸の取付け構造。
【請求項２】
ラジアル軸受が組み付けられている軸受ハウジングの段差部に位置決めして保持された抜止めワッシャがロータを備える回転軸の環状溝部に嵌合され、かつ、その回転軸の下端摺動面が上記軸受ハウジングの底面に位置決めして配備された板状のスラストワッシャによって支持されているモータ回転軸の取付け構造において、
上記スラストワッシャとして、軸受ハウジングの上記段差部に位置決めした樹脂成形体でなる円板状部材の中央部を打ち抜くことにより形成された打抜き片が用いられ、上記抜止めワッシャとして、上記円板状部材から上記打抜き片を打ち抜くことにより残存した環状片が用いられていることを特徴とするモータ回転軸の取付け構造。
【請求項３】
上記抜止めワッシャの間隔を隔てた周方向複数箇所に具備された内向き突片部が上記軸受ハウジングの段差部の内側へ突き出して上記回転軸の環状溝部に嵌合されていると共に、上記スラストワッシャの間隔を隔てた周方向複数箇所に具備された外向き突片部が上記軸受ハウジングの内周面に対峙してそのスラストワッシャが位置決めされているモータ回転軸の取付け構造。
【請求項４】
上記スラストワッシャの外向き突片部が、上記抜止めワッシャの相隣接する内向き突片部の相互間に形成されている凹入部に嵌まり込む大きさを有している請求項３に記載したモータ回転軸の取付け構造。
【請求項５】
軸受ハウジングの段差部に位置決めして保持された抜止めワッシャが上記軸受ハウジングに保持されたラジアル軸受により支持されている回転軸の環状溝部に嵌合され、かつ、その回転軸の下端摺動面が上記軸受ハウジングの底面に位置決めして配備された板状のスラストワッシャによって支持され、上記回転軸にロータが装備されているモータ回転軸の取付け方法において、
間隔を隔てた周方向複数箇所に具備された内向き突片部を有する環状領域と、間隔を隔てた周方向複数箇所に具備された外向き突片部を有する被打抜き領域とを有していると共に、環状領域の内向き突片部と被打抜き領域の外向き突片部とが周方向で交互に位置してなり、かつ、被打抜き領域の外向き突片部の外周端面と環状領域の相隣接する内向き突片部の相互間の凹入部の内周端面とが破断可能な短片部によって連結されてなる、樹脂成形体でなる円板状部材を、上記軸受ハウジングの段差部に位置決めして保持させる予備工程と、
上記回転軸を上記ラジアル軸受に挿入する過程でその回転軸により上記円板状部材の被打抜き領域を押し付けて上記短片部を破断することによりその被打抜き領域を打ち抜いて打抜き片を形成すると共に、その打抜き片を回転軸により上記軸受ハウジングの底面に押し付けて配備することによりその打抜き片をスラストワッシャとするスラストワッシャ組付け工程と、
上記回転軸を上記ラジアル軸受に挿入する過程でその回転軸により上記円板状部材から上記打抜き片を打ち抜くことによって残存した環状片の上記内向き突片をその回転軸の環状溝部に嵌合させて抜止めワッシャとする抜止めワッシャ組付け工程と、を含み、
上記環状領域の上記凹入部の内周端面が上記回転軸の外周径よりも径大に形成され、環状領域の上記内向き突片部の内周端面が上記回転軸の外周径よりも径小で上記回転軸の環状溝部の内周径よりも径大に形成されていて、
上記抜止めワッシャ組付け工程では、上記内向き突片部を撓み変形させて上記回転軸の下端部を乗り越えさせた後にその弾性により初期形状に復元させてその回転軸の環状溝部に嵌合させることを特徴とするモータ回転軸の取付け方法。
【請求項６】
軸受ハウジングの段差部に位置決めして保持された抜止めワッシャが、上記軸受ハウジングに保持されたラジアル軸受により支持されている回転軸の環状溝部に嵌合され、かつ、その回転軸の下端摺動面が上記軸受ハウジングの底面に位置決めして配備された板状のスラストワッシャによって支持され、上記回転軸にロータが装備されているモータ回転軸の取付け方法において、
樹脂成形体でなる円板状部材を上記軸受ハウジングの段差部に位置決めして保持させる予備工程と、
上記回転軸を上記ラジアル軸受に挿入する過程でその回転軸により上記円板状部材の中央部を打ち抜いて打抜き片を形成すると共に、その打抜き片を回転軸により上記軸受ハウジングの底面に押し付けて配備することによりその打抜き片をスラストワッシャとするスラストワッシャ組付け工程と、
上記回転軸を上記ラジアル軸受に挿入する過程でその回転軸により上記円板状部材から上記打抜き片を打ち抜くことによって残存した環状片をその回転軸の環状溝部に嵌合させて抜止めワッシャとする抜止めワッシャ組付け工程と、
を含んでいることを特徴とするモータ回転軸の取付け方法。
【請求項７】
上記円板状部材は、間隔を隔てた周方向複数箇所に具備された内向き突片部を有する環状領域と、間隔を隔てた周方向複数箇所に具備された外向き突片部を有する被打抜き領域とを有していると共に、環状領域の内向き突片部と被打抜き領域の外向き突片部とが周方向で交互に位置してなり、かつ、被打抜き領域の外向き突片部の外周端面と環状領域の相隣接する内向き突片部の相互間の凹入部の内周端面とが破断可能な短片部によって連結されてなる請求項６に記載したモータ回転軸の取付け方法。
【請求項８】
上記円板状部材は、上記環状領域の上記凹入部の内周端面が上記回転軸の外周径よりも径大に形成され、環状領域の上記内向き突片部の内周端面が上記回転軸の外周径よりも径小で上記回転軸の環状溝部の内周径よりも径大に形成されている請求項７に記載したモータ回転軸の取付方法。
【発明の詳細な説明】
【技術分野】
【０００１】
本発明は、たとえばＤＶＤのようなディスクを記録メディアとして用いる電気電子機器などに採用されるモータの回転軸取付け構造及び同回転軸取付け方法、特に、回転軸を抜止めするための抜止めワッシャの組付け工程や回転軸に加わるスラスト力を受け止めるためのスラストワッシャの組付け工程を迅速かつ容易にするための対策を講じたモータ回転軸の取付け構造及びモータ回転軸の取付け方法に関する。
【背景技術】
【０００２】
従来、ブラシレスモータのロータ抜けを防止する機構として、軸受ハウジングに保持させた樹脂製のワッシャを、ロータを固着したシャフト（回転軸）の環状溝に嵌合するという構成を採用することが提案されている（たとえば、特許文献１参照）。そして、この特許文献１には、シャフトの先端をスラスト受で受け止めてその回転軸のスラスト方向の動きを規制することも記載されている。また、スラストワッシャを用いた軸受の与圧構造についての提案もなされている（たとえば、特許文献２参照）。さらに、モータ軸の組付け時に、モータ軸で押圧することによりクリップを撓ませた後に、そのクリップをモータ軸に係合させてそのモータ軸を抜止めするという提案もなされている（たとえば、特許文献３参照）。これらの各特許文献を参照すると、軸受ハウジングに保持させた樹脂製のワッシャを利用して回転軸を抜止めしたり、その回転軸に加わるスラスト力をスラストワッシャによって受け止めることが従来より公知であると云える。
【０００３】
一方、従来より、回転軸を抜止めすることに用いる抜止めワッシャと、回転軸に加わるスラスト力を受け止めるスラストワッシャとは、互いに独立した個別の部品であるという考え方の下で、モータの組立ラインでは、別々に製作した抜止めワッシャとスラストワッシャとを軸受ハウジングに個別の作業を経て組付け、その後に回転軸を軸受ハウジングに組み付けるという手順が採用されていた。
【特許文献１】特開２００３−２８４２８３号公報
【特許文献２】特開２００３−９７５５１号公報
【特許文献３】特開２００２−５８１９９号公報
【発明の開示】
【発明が解決しようとする課題】
【０００４】
しかしながら、抜止めワッシャとスラストワッシャとを別々の部品として個別に製作した上で、それらを軸受ハウジングに個別の作業を経て組み付け、その後に回転軸を組み付けるという上記手順を採用すると、原則的には、抜止めワッシャ、スラストワッシャ、回転軸からなる３つの部品の数に見合うだけの組立工程を行うことを余儀なくされるために、組立工数や部品点数の削減によるコストダウンを図ることに困難が伴っていた。
【０００５】
この点に関し、上掲の各特許文献１〜３には、抜止めワッシャやスラストワッシャ、回転軸に相応する個別の部材についての記載はあるものの、上記困難を解消して組立工数や部品点数の削減によるコストダウンを図る上での有効な対策については何も開示されていない。
【０００６】
本発明は以上の状況の下でなされたものであり、組立工数や部品点数の削減によるコストダウンを図る上で有益な対策を講じたモータ回転軸の取付け構造及びモータ回転軸の取付け方法を提供することを目的とする。
【０００７】
また、本発明は、軸受ハウジングに樹脂成形体でなる円板状部材を組み付けるという単一の工程と、回転軸を組み付けるという単一の工程とを行うだけで、抜止めワッシャ及びスラストワッシャの軸受ハウジングの所定位置に配備して回転軸の抜止め作用やスラスト力の受止め作用を発揮させることのできるモータ回転軸の取付け構造及びモータ回転軸の取付け方法を提供することを目的とする。
【課題を解決するための手段】
【０００８】
本発明に係るモータ回転軸の取付け構造では、ラジアル軸受が組み付けられている軸受ハウジングの段差部に位置決めして保持された抜止めワッシャがロータを備える回転軸の環状溝部に嵌合され、かつ、その回転軸の下端摺動面が上記軸受ハウジングの底面に位置決めして配備された板状のスラストワッシャによって支持されている。そして、上記スラストワッシャとして、軸受ハウジングの上記段差部に位置決めした樹脂成形体でなる円板状部材の中央部を打ち抜くことにより形成された打抜き片が用いられ、上記抜止めワッシャとして、上記円板状部材から上記打抜き片を打ち抜くことにより残存した環状片が用いられている。
【０００９】
この構成であれば、スラストワッシャが円板状部材の中央部を打ち抜くことによって形成され、かつ、抜止めワッシャがその円板状部材の残存した環状片によって形成されるために、スラストワッシャと抜止めワッシャとを個別に製作する必要がなくなる。しかも、円板状部材を打ち抜いてスラストワッシャや抜止めワッシャを形成する工程が、その円板状部材を軸受ハウジングの段差部に位置決めした状態で行われるために、スラストワッシャや抜止めワッシャを個別に軸受ハウジングに組み付ける工程を行う必要がなくなってそれだけ組立工数が削減される。なお、スラストワッシャや抜止めワッシャを形成するために行われる円板状部材の打抜き工程は、ラジアル軸受への回転軸の挿入時にその回転軸を用いて行うことが望ましいけれども、この発明では、回転軸以外の別の打抜き治具を用いて行うことも可能であって、それらのいずれかの手段を適宜選択すべきである。
【００１０】
本発明では、上記抜止めワッシャの間隔を隔てた周方向複数箇所に具備された内向き突片部が上記軸受ハウジングの段差部の内側へ突き出して上記回転軸の環状溝部に嵌合されていると共に、上記スラストワッシャの間隔を隔てた周方向複数箇所に具備された外向き突片部が上記軸受ハウジングの内周面に対峙してそのスラストワッシャが位置決めされている、という構成を採用することが可能である。これによれば、回転軸の環状溝部に嵌合している抜止めワッシャの内向き突片部が回転軸の軸方向変位を規制してその回転軸の抜止めが行われる。また、スラストワッシャの外向き突片部が上記軸受ハウジングの内周面に対峙してそのスラストワッシャが位置決めされているために、スラストワッシャによるスラスト力受止め作用の安定性が損なわれない。また、抜止めワッシャの内向き突片部の突出長さを加減することにより、回転軸の環状溝に対するその内向き突片部の嵌合幅を増減調節して抜止め作用の安定性や回転軸の回転円滑性を保つことが容易に可能になる。
【００１１】
本発明にあっては、上記円板状部材を樹脂で歩留りよく円形シート状に成形するための対策として、上記スラストワッシャの外向き突片部が、上記抜止めワッシャの相隣接する内向き突片部の相互間に形成されている凹入部に嵌まり込む大きさを有しているという構成を採用することが有効である。
【００１２】
本発明に係るモータ回転軸の取付け構造は、軸受ハウジングの段差部に位置決めして保持された抜止めワッシャが上記軸受ハウジングに保持されたラジアル軸受により支持されている回転軸の環状溝部に嵌合され、かつ、その回転軸の下端摺動面が上記軸受ハウジングの底面に位置決めして配備された板状のスラストワッシャによって支持され、上記回転軸に記録メディアとしてのディスクが着脱されるターンテーブルとロータとが装備されているモータ回転軸の取付け構造において、上記回転軸は上記ラジアル軸受に挿入することによってそのラジアル軸受により支持されていると共に、上記スラストワッシャとして、軸受ハウジングの上記段差部に位置決めした樹脂成形体でなる円板状部材の中央部を、上記ラジアル軸受に挿入した上記回転軸を用いて打ち抜くことにより形成された打抜き片が用いられ、上記抜止めワッシャとして、上記円板状部材から上記打抜き片を打ち抜くことにより残存した環状片が用いられ、上記抜止めワッシャの間隔を隔てた周方向複数箇所に具備された内向き突片部が上記軸受ハウジングの段差部の内側へ突き出して上記回転軸の環状溝部に嵌合されていると共に、上記スラストワッシャの間隔を隔てた周方向複数箇所に具備された外向き突片部が上記軸受ハウジングの内周面に対峙してそのスラストワッシャが位置決めされ、上記スラストワッシャの外向き突片部が、上記抜止めワッシャの相隣接する内向き突片部の相互間に形成されている凹入部に嵌まり込む大きさを有している、という構成を採用することによっていっそう具体化される。この発明の作用は、後述する実施形態を参照して詳細に説明する。
【００１３】
本発明に係るモータ回転軸の取付け方法は、軸受ハウジングの段差部に位置決めして保持された抜止めワッシャが、上記軸受ハウジングに保持されたラジアル軸受により支持されている回転軸の環状溝部に嵌合され、かつ、その回転軸の下端摺動面が上記軸受ハウジングの底面に位置決めして配備された板状のスラストワッシャによって支持され、上記回転軸にロータが装備されているモータ回転軸の取付け方法において、樹脂成形体でなる円板状部材を上記軸受ハウジングの段差部に位置決めして保持させる予備工程と、上記回転軸を上記ラジアル軸受に挿入する過程でその回転軸により上記円板状部材の中央部を打ち抜いて打抜き片を形成すると共に、その打抜き片を回転軸により上記軸受ハウジングの底面に押し付けて配備することによりその打抜き片をスラストワッシャとするスラストワッシャ組付け工程と、上記回転軸を上記ラジアル軸受に挿入する過程でその回転軸により上記円板状部材から上記打抜き片を打ち抜くことによって残存した環状片をその回転軸の環状溝部に嵌合させて抜止めワッシャとする抜止めワッシャ組付け工程と、を含んでいる。
【００１４】
この取付け方法によれば、スラストワッシャが軸受ハウジングの段差部に位置決めされた円板状部材の中央部を打ち抜くことによって形成され、かつ、抜止めワッシャがその円板状部材の残存した環状片によって形成されるために、スラストワッシャと抜止めワッシャとをそれらの組付け前に個別に製作する必要がなくなるだけでなく、スラストワッシャや抜止めワッシャを個別に軸受ハウジングに組み付ける工程を行う必要がなくなってそれだけ組立工数が削減される。その上、スラストワッシャや抜止めワッシャを形成するために行われる円板状部材の打抜き工程が、ラジアル軸受への回転軸の挿入時にその回転軸を用いて行われるために、軸受ハウジングに円板状部材を組み付けるという単一の工程と、回転軸を組み付けるという単一の工程とを行うだけで、抜止めワッシャ及びスラストワッシャを軸受ハウジングの所定位置に配備して回転軸の抜止め作用やスラスト力の受止め作用を発揮させることのできるモータ回転軸の取付け構造が得られる。
【００１５】
本発明に係る取付け方法に用いられる上記円板状部材は、間隔を隔てた周方向複数箇所に具備された内向き突片部を有する環状領域と、間隔を隔てた周方向複数箇所に具備された外向き突片部を有する被打抜き領域とを有していると共に、環状領域の内向き突片部と被打抜き領域の外向き突片部とが周方向で交互に位置してなり、かつ、被打抜き領域の外向き突片部の外周端面と環状領域の相隣接する内向き突片部の相互間の凹入部の内周端面とが破断可能な短片部によって連結されてなる、という構成を有していることが望ましい。これによれば、環状領域と被打抜き領域とを有する円板状部材を樹脂で容易に成形することが可能であり、しかも、被打抜き領域を回転軸によって容易に打ち抜くことが可能である。
【００１６】
本発明に係る取付け方法に用いられる上記円板状部材は、上記環状領域の上記凹入部の内周端面が上記回転軸の外周径よりも径大に形成され、環状領域の上記内向き突片部の内周端面が上記回転軸の外周径よりも径小で上記回転軸の環状溝部の内周径よりも径大に形成されていることが望ましい。これによれば、抜止めワッシャの内向き突片部が回転軸の環状溝部に確実に嵌合して抜止めワッシャによる回転軸の抜止め作用が安定する。また、抜止めワッシャが回転軸の外周面に接触して回転軸の回転円滑性が損なわれるという事態も生じない。
【発明の効果】
【００１７】
以上のように、本発明に係るモータ回転軸取付け構造及びモータ回転軸取付け方法によれば、抜止めワッシャとスラストワッシャとが１つの円板状部材の中央部を打ち抜くことによって形成されるために、抜止めワッシャとスラストワッシャとを個別に製作したり個別に軸受ハウジングに組み付けたりする必要がなくなって、組立工数や部品点数が削減されてコストダウンを図りやすくなる。また、組立工数や部品点数の削減を通じてモータの量産性が高まるという効果も奏される。
【発明を実施するための最良の形態】
【００１８】
図１は本発明に係るモータ回転軸取付け構造が採用されたモータの概略縦断正面図、図２は円板状部材９の斜視図、図３は円板状部材９の平面図、図４〜図６は組付け手順を説明的に示した要部の縦断正面図、図７は環状片９Ｂの平面図、図８は打抜き片９Ａの平面図である。
【００１９】
図１のように、図例のモータでは、下端部に環状に形成された段差部１１を有する有底円筒状の軸受ハウジング１に筒状のラジアル軸受２が嵌合保持されている。そして、軸受ハウジング１の段差部１１とラジアル軸受２とにより挟持された状態で、軸受ハウジング１の段差部１１に径方向及び軸方向で位置決めして保持されている抜止めワッシャ３が、ラジアル軸受２に挿入されてそのラジアル軸受２により径方向で支持されている回転軸４の下端部の環状溝部４１に嵌合されている。また、回転軸４の下端摺動面４２が、軸受ハウジング１の底面１２に配備されて径方向で位置決めされているスラストワッシャ５によって支持されている。また、軸受ハウジング１にはステータ６が固着されているのに対し、回転軸４にはロータ７とターンテーブル８とが固着されている。
【００２０】
このモータでは、ステータ６の巻線６１に電流が供給されることにより、永久磁石７１を備えたロータ７が回転軸４と共に回転してターンテーブル８を回転させる。また、回転軸４の軸方向での変位幅が、回転軸４の環状溝部４１に嵌合している抜止めワッシャ３によって規制されていると共に、回転軸４に加わるスラスト力がスラストワッシャ５によって受け止められるようになっている。そして、記録メディアとしてのディスク（不図示）が上記ターンテーブル８に着脱される。
【００２１】
図１に示した抜止めワッシャ３とスラストワッシャ５とは、図２及び図３に示した樹脂成形体でなる円板状部材９の所定部分を打ち抜くことによって形成されている。すなわち、円板状部材９は、外周側に位置している環状領域９１と、その環状領域９１の内側中央部に位置している被打抜き領域９５とに分割されていて、環状領域９１の等角度おきの周方向３箇所に内向き突片部９２が備わり、被打抜き領域９５の等角度おきの周方向３箇所に外向き突片部９６が備わっている。そして、内向き突片部９２と外向き突片部９６とが周方向で交互に位置していて、外向き突片部９６の外周端面と、相隣接する内向き突片部９２，９２の相互間の凹入部９３の内周端面とが破断可能な幅狭の短片部９７によって連結されている。この構成であると、スラストワッシャ５として用いられる被打抜き領域９５の外向き突片部９６が、抜止めワッシャ３として用いられる環状領域９１の凹入部９３に嵌まり込む大きさを有することになる。
【００２２】
この円板状部材９は耐摩耗性に優れた樹脂樹脂成形体でなる。そして、この円板状部材９の短片部９７を破断して被打抜き領域９５を打ち抜くことにより形成される打抜き片９Ａ（図８参照）が図１のスラストワッシャ５として用いられているのに対し、打抜き片９Ａを打ち抜くことにより残存した環状領域９１により形成される環状片９Ｂ（図７参照）が図１の抜止めワッシャ３として用いられている。したがって、スラストワッシャ５には、図７の環状片９Ｂ側に残った破断跡９４がそのまま備わり、抜止めワッシャ３には、図８の打抜き片９Ａ側に残った破断跡９８がそのまま備わっている。また、図１を参照することによって判るように、抜止めワッシャ３はその外周端面が軸受ハウジング１の内周面に対峙ないし当接することによって径方向で位置決めされているのに対し、スラストワッシャ５は、その外向き突片部９６の外周端面が軸受ハウジング１の内周面に近接して対峙することによって径方向で位置決めされている。
【００２３】
図３に説明的に示したように、円板状部材９において、その環状領域９１の凹入部９３の内周端面が、仮想線で示した回転軸４の外周径よりも径大に形成され、環状領域９１の内向き突片部９２の内周端面が、仮想線で示した回転軸４の外周径よりも径小でその環状溝部４１の内周径よりも径大に形成されている。
【００２４】
図１を参照して説明したモータにおいて、回転軸４や、抜止めワッシャ３及びスラストワッシャ５は、次に説明する予備工程、スラストワッシャ組付け工程、抜止めワッシャ組付け工程を行うことによって組み付けられる。
【００２５】
予備工程は、図２又は図３に示した樹脂成形体でなる円板状部材９を、軸受ハウジング１の段差部１１に位置決めして保持させる工程であり、この工程を経ることによって、円板状部材９が、図４のように段差部１１とラジアル軸受２とにより容易に動かないように、かつ、段差部１１とラジアル軸受２との間から抜け出さないように挟持される。
【００２６】
スラストワッシャ組付け工程では、回転軸４をラジアル軸受２に挿入する過程でその回転軸４により円板状部材９の被打抜き領域９５を押し付けて短片部９７（図２又は図３参照）を破断する。したがって、このスラストワッシャ組付け工程では、最初の段階で円板状部材９の被打抜き領域９５が打ち抜かれて図８に示した打抜き片９Ａが形成され、その後、その打抜き片９Ａが回転軸４により軸受ハウジング１の底面１２に押し付けられて図６のようにその底面１２上に配備され、スラストワッシャ５として利用されるようになる。そして、打抜き片９Ａが回転軸４により軸受ハウジング１の底面１２に押し付けられるのに伴って、その打抜き片９Ａの外向き突片９６が軸受ハウジング１の内周面に対峙してスラストワッシャ５の位置決めが行われる。
【００２７】
抜止めワッシャ組付け工程は、上記したスラストワッシャ組付け工程で打抜き片９Ａ（図８参照）を打ち抜くことによって残存した環状片９Ｂの内向き突片部９２をその回転軸４の環状溝部４１に嵌合させて抜止めワッシャ３とする工程である。したがって、この抜止めワッシャ組付け工程では、図５のように、回転軸４によって環状片９Ｂの内向き突片部９２が押されて撓み変形した後、その打抜き突片部９２が回転軸４の下端部を乗り越えた後にその弾性により初期形状に復元して回転軸４の環状溝部４１に嵌合するという作用が行われる。
【００２８】
この取付け方法を行うことにより、スラストワッシャ５と抜止めワッシャ３とをそれらの組付け前に個別に製作する必要がなくなるだけでなく、スラストワッシャ５や抜止めワッシャ３を個別に軸受ハウジング１に組み付ける工程を行う必要がなくなる。しかも、スラストワッシャ５や抜止めワッシャ３を形成するために行われる円板状部材９の打抜き工程が、ラジアル軸受２への回転軸４の挿入時にその回転軸４を用いて行われることにより、軸受ハウジング１に円板状部材９を組み付けるという単一の工程と、回転軸４を組み付けるという単一の工程とを行うだけで、抜止めワッシャ３及びスラストワッシャ５を軸受ハウジング１の所定位置に配備して回転軸４の抜止め作用やスラスト力の受止め作用を発揮させることができるようになる。
【００２９】
以上説明した事例では、環状領域９１の内向き突片部９２や被打抜き領域９５の外向き突片部９６を周方向３箇所に形成したものを説明したけれども、これらの内向き突片部９２や外向き突片部９６を、周方向２箇所に形成しても、周方向３箇所よりも多い箇所に形成しておいてもよい。また、被打抜き領域９５を打ち抜く工程を回転軸４を用いて行っているけれども、この点は、別の治具をラジアル軸受２に挿入して被打抜き領域９５を打ち抜き、その治具をラジアル軸受２から引き抜いた後に、そのラジアル軸受２に回転軸４を挿入するという手順を採用することも可能である。しかし、回転軸４を治具の代わりに用いると、回転軸の組付け時に同時にスラストワッシャ５や抜止めワッシャ３を形成することができるのでそれだけ工数を削減できて量産性を高めることが可能になるという利点がある。
【図面の簡単な説明】
【００３０】
【図１】本発明に係るモータ回転軸取付け構造が採用されたモータの概略縦断正面図である。
【図２】円板状部材の斜視図である。
【図３】円板状部材の平面図である。
【図４】回転軸をラジアル軸受に挿入する過程の初期段階をを説明的に示した要部の縦断側面図である。
【図５】回転軸をラジアル軸受に挿入する過程の他の段階を説明的に示した要部の縦断側面図である。
【図６】回転軸をラジアル軸受に挿入した段階を説明的に示した要部の縦断側面図である。
【図７】環状片（抜止めワッシャ）の平面図である。
【図８】打抜き片（スラストワッシャ）の平面図である。
【符号の説明】
【００３１】
１  軸受ハウジング
２  ラジアル軸受
３  抜止めワッシャ
４  回転軸
５  スラストワッシャ
７  ロータ
８  ターンテーブル
９  円板状部材
９Ａ  打抜き片
９Ｂ  環状片
１１  軸受ハウジングの段差部
１２  軸受ハウジングの底面
４１  回転軸の環状溝部
４２  回転軸の下端摺動面
９１  環状領域
９２  内向き突片部
９５  被打抜き領域
９６  外向き突片部
９７  短片部
【図１】
2007185068.tif 000003
【図２】
2007185068.tif 000004
【図３】
2007185068.tif 000005
【図４】
2007185068.tif 000006
【図５】
2007185068.tif 000007
【図６】
2007185068.tif 000008
【図７】
2007185068.tif 000009
【図８】
2007185068.tif 000010